(57)【要約】【課題】スポーツに関連する新規イベントを利用者或いは参加者の意志をも反映しながら企画立案し、開催できる方法を提供する。【解決手段】スポーツに関連する新規イベントを立案し、スポーツイベントとしてネットワーク上に公開する第１段階と、前記スポーツイベントを前記ネットワーク上に公開して投票を求める第２段階と、前記投票の結果に基づいて前記スポーツイベントを決定し、決定された前記スポーツイベントに対して前記ネットワーク上で参加者を募る第３段階と、前記参加者に当該スポーツイベントの開催を通知する第４段階とを有する。【選択図】図１
2015210560.tif 000002
【特許請求の範囲】
【請求項１】
スポーツに関連する新規イベントを立案し、スポーツイベントとしてネットワーク上に公開する第１段階と、前記スポーツイベントを前記ネットワーク上に公開して投票を求める第２段階と、前記投票の結果に基づいて前記スポーツイベントを決定し、決定された前記スポーツイベントに対して前記ネットワーク上で参加者を募る第３段階と、前記参加者に当該スポーツイベントの開催を通知する第４段階とを有することを特徴とするネットワークを利用したスポーツイベント開催方法。
【請求項２】
前記第１の段階は、前記スポーツに関連する企画された素案に対して、ネットワークの管理者が審査して前記スポーツイベントを前記ネットワーク上に公開するか否かを決定するステップを有することを特徴とする請求項１記載のスポーツイベント開催方法。
【請求項３】
前記第１の段階は、前記スポーツに関連する企画された素案に対して、ネットワークに登録された会員全員に公開又は会員を選んで公開できるステップを含むことを特徴とする請求項１乃至２の何れか１項に記載のスポーツイベント開催方法。
【請求項４】
前記第２段階は、投票に応じてポイントを獲得するステップと、前記獲得ポイントの獲得数を集計してランキング化したリストを生成できるステップと、前記リストの上位にランキングしたイベントから前記第３段階の候補に移行できることを特徴とする請求項１に記載のスポーツイベント開催方法。
【請求項５】
前記第２の段階は、投票の繰り返しを許容し、前記投票の繰り返しを熱意度として表示するステップと前記熱意度をポイント化するステップを含むことを特徴とする請求項４に記載のスポーツイベント開催方法。
【請求項６】
前記投票の繰り返しは、１日当たり前記投票の繰り返しの回数を設定できるステップを含むことを特徴とする請求項５に記載のスポーツイベント開催方法。
【請求項７】
前記１日当たりの前記投票の繰り返しの回数も熱意度として表示するステップと前記投票の繰り返しの回数の熱意度をポイント化するステップを含むことを特徴とする請求項６に記載のスポーツイベント開催方法。
【請求項８】
投票人数、前記熱意度や前記投票の繰り返しの回数の熱意度を組み合わせてポイント化するステップを含むことを特徴とする請求項５に記載のスポーツイベント開催方法。
【請求項９】
前記第２の段階において、前記ネットワーク上に公開した前記スポーツイベントが前記第３の段階に進める段階なのか、投票受付中の段階なのか或いは中止となったスポーツイベントなのかを画面で通知するステップを有することを特徴とする請求項５乃至８のいずれか１項に記載スポーツイベント開催方法。
【請求項１０】
前記画面で通知ステップは、ランキングの表示、前記スポーツイベントの表題と前記スポーツイベントの内容の詳細、前記スポーツイベントの企画者の氏名とその企画者の画像、前記熱意度をポイント化させて表示すると共に、投票人数、投票期間や前記投票期間に対する残り時間を表示することを特徴とする請求項９に記載のスポーツイベント開催方法。
【請求項１１】
前記スポーツイベントの内容の詳細は、前記スポーツイベントの予定価格、募集人数、開催日、開催場所を含むことを特徴とする請求項１０に記載のスポーツイベント開催方法。
【請求項１２】
前記募集人数に対して前記投票人数が同数になった場合に、前記ネットワーク上に公開した前記スポーツイベントが前記第３の段階のイベントになることを特徴とする請求項１１に記載のスポーツイベント開催方法。
【請求項１３】
前記熱意度をポイント化させて表示したポイントが最大値に達した場合に、前記投票人数が前記募集人数に対して未達でも前記ネット公開した前記スポーツイベントが前記第３の段階のイベントになることを特徴とする請求項１０に記載のスポーツイベント開催方法。
【請求項１４】
前記投票期間に対する残り時間がゼロになっても前記募集人数に対して前記投票人数が人数未満の場合に、前記スポーツイベントを中止にすることを特徴とする請求項１０に記載のスポーツイベント開催方法。
【請求項１５】
前記第３の段階は、前記ネットワーク上で参加者に前記開催決定された前記スポーツイベントを販売するステップを含むことを特徴とする請求項１に記載のスポーツイベント開催方法。
【請求項１６】
前記第３の段階は、前記ネットワーク上で参加者に前記開催決定された前記スポーツイベントが販売中であることを通知するステップと、前記開催決定された前記スポーツイベントの販売内容、販売状況や販売終了期間を表示できるステップを有することを特徴とする請求項１５に記載のスポーツイベント開催方法。
【請求項１７】
前記第３の段階で販売された前記開催決定スポーツイベントが前記募集人数に到達したら前記開催決定スポーツイベントが成立するステップを有することを特徴とする請求項１６に記載のスポーツイベント開催方法。
【請求項１８】
前記販売終了期間内に前記前記募集人員に到達できなかった前記開催決定スポーツイベントは、前記開催決定スポーツイベントを中止するステップを有することを特徴とする請求項１７に記載のスポーツイベント開催方法。
【請求項１９】
前記スポーツに関連する前記新規スポーツイベントはゴルフに関連していることを特徴とする請求項１乃至１８の何れか１項に記載のスポーツイベント開催方法。
【請求項２０】
立案されたスポーツイベントをネットワーク上に表示する段階と、前記スポーツイベントを前記ネットワーク上に公開して投票を求める段階と、前記投票の結果に基づいて前記スポーツイベントを決定し、決定された前記スポーツイベントに対して前記ネットワーク上で参加者を募る段階と、前記参加者に当該スポーツイベントの開催を通知する段階を含んでいることを特徴とするコンピュータで実行可能なプログラム。
【請求項２１】
立案されたスポーツイベントリスト、開催決定されたスポーツイベント、及び、投票結果を格納する記憶装置と、前記スポーツイベントリストから、前記投票結果を参照して、前記開催決定されたスポーツイベントを決定する手段を有することを特徴とするサーバ。
【発明の詳細な説明】
【技術分野】
【０００１】
本発明は、ネットワークを利用してスポーツイベントを開催するスポーツイベント開催方法に関する。
【背景技術】
【０００２】
一般に、ネットワークを利用したイベントの開催方法として、旅行イベントを仮想的に実現することが特許文献１等で提案されている。旅行イベントの場合、場所、ホテル等が予めデータベースに記録されている。このため、利用者はこれらデータベースからの情報を選択することができ、また、表示された選択肢に応じて投票することによって旅行プラン等を計画、或いは、旅行に参加できる。
【０００３】
一方、特許文献２は、スポーツコンテンツの配信をオークション形式で決定する配信システムを開示している。この場合にも、配信されるべきスポーツコンテンツは予め決定されているのが普通である。
【先行技術文献】
【特許文献】
【０００４】
【特許文献１】特開２００４-２１３１３３
【特許文献２】特開２０１０−２１１７２８
【発明の概要】
【発明が解決しようとする課題】
【０００５】
特許文献１及び２は、これまで開催されたことのないスポーツイベントをネットワークを用いて企画立案し、開催することについて、何ら開示していない。ここでは、これまで開催されたことのないスポーツイベントを新規スポーツイベントと呼ぶ。
【０００６】
更に、新規スポーツイベントを企画者だけでなく、利用者及び参加者の意思をも反映して、企画立案し、開催する試みは行われていない。
【０００７】
例えば、スポーツ施設やこのスポーツ施設に付帯するスクールによってスポーツ施設の利用者やスクールの生徒を増やすことを目的に、新規スポーツイベントを企画して開催する方法がある。
【０００８】
また、スポーツ用具メーカーによって、製品などの販促を目的にスポーツ施設の運営者と提携して企画したイベントを開催する方法もある。
【０００９】
しかしながら、上記した新規スポーツイベントは全て、運営者等が企画したイベントや予め開催することを前提に企画されたイベントを選んで開催するものである。
【００１０】
したがって、これらのイベントは、運営者側の見込みと予測によって立案企画され、利用者、参加者の意思は反映されていない。
【００１１】
そこで、本発明は、上述した問題点を下記の方法によって解決するものである。具体的には、スポーツに関連する新規イベントを利用者或いは参加者の意思をも反映しながら企画立案し、開催できる方法を提供することである。
【課題を解決するための手段】
【００１２】
本発明は、利用者或いは参加者にとって満足度の高いスポーツイベントが開催できる方法として、企画立案したスポーツイベントをネットワーク上に公開して投票を求め、ランキング化された投票結果に基づいて開催するスポーツイベントを決定する方法を提供することである。
【００１３】
具体的には、本発明の一実施形態によれば、スポーツに関連する新規イベントを立案し、スポーツイベントとしてネットワーク上に公開する第１段階と、前記スポーツイベントを前記ネットワーク上に公開して投票を求める第２段階と、前記投票の結果に基づいて前記スポーツイベントを決定し、決定された前記スポーツイベントに対して前記ネットワーク上で参加者を募る第３段階と、前記参加者に当該スポーツイベントの開催を通知する第４段階とを有することを特徴とするスポーツイベント開催方法が得られる。
【００１４】
本発明の他の実施形態によれば、立案されたスポーツイベントをネットワーク上に表示する段階と、前記スポーツイベントを前記ネットワーク上に公開して投票を求める段階と、前記投票の結果に基づいて前記スポーツイベントを決定し、決定された前記スポーツイベントに対して前記ネットワーク上で参加者を募る段階と、前記参加者に当該スポーツイベントの開催を通知する段階を含んでいることを特徴とするコンピュータで実行可能なプログラムが得られる。
【００１５】
本発明の更に他の実施形態によれば、立案されたスポーツイベントリスト、開催決定されたスポーツイベント、及び、投票結果を格納する記憶装置と、前記スポーツイベントリストから、前記投票結果を参照して、前記開催決定されたスポーツイベントを決定する手段を有することを特徴とするサーバが得られる。
【発明の効果】
【００１６】
本発明によれば、新規イベントを利用者或いは参加者の意思を反映して企画立案して開催されるので、利用者や参加者にとって満足度が高いスポーツイベントの開催が得られると共にイベントの場所や用具を提供する当事者もイベントを実施するための特段の招致活動をすることがなく、利益をもたらすスポーツイベントを開催することができる。
【図面の簡単な説明】
【００１７】
【図１】本発明の実施形態によるスポーツイベント開催方法を実施するシステムの全体構成を示すブロック図である。
【図２】本発明の一実施形態によるスポーツイベント開催方法の公開イベントの表示画面例を示す図である。
【図３】本発明の一実施形態によるスポーツイベント開催方法のランキング１位の公開イベントの表示画面例を示す図である。
【図４】本発明のスポーツイベント開催方法における公開イベントの表示画面の第２の実施形態を示す図である。
【図５】本発明の一実施形態によるスポーツイベント開催方法の公開イベントのステータスを通知する方法を示すフローチャートである。
【図６】本発明の一実施形態によるスポーツイベント開催方法の公開イベントの内、ステータスが投票受付中であることを通知する表示画面例を示す図である。
【図７】本発明の一実施形態によるスポーツイベント開催方法の公開イベントの内、ステータスが実現交渉中であることを通知する表示画面例を示す図である。
【図８】本発明の一実施形態によるスポーツイベント開催方法の公開イベントの内、ステータスが実現交渉中であることを通知する他の表示画面例を示す図である。
【図９】本発明の一実施形態によるスポーツイベント開催方法の公開イベントの内、ステータスがイベント中止であることを通知する表示画面例を示す図である。
【図１０】本発明の一実施形態によるスポーツイベント開催方法の開催決定イベントの表示画面例を示す図である。
【図１１】本発明の一実施形態によるスポーツイベント開催方法で開催決定されたイベントの表示画面例を示す図である。
【図１２】本発明の一実施形態によるスポーツイベント開催方法の開催決定イベントのステータスを通知する方法を示すフローチャートである。
【図１３】本発明の一実施形態によるスポーツイベント開催方法の開催決定イベントの内、ステータスが販売受付中であることを通知する表示画面例を示す図である。
【図１４】本発明の一実施形態によるスポーツイベント開催方法の開催決定イベントの内、ステータスが完売であることを通知する表示画面例を示す図である。
【図１５】本発明の一実施形態によるスポーツイベント開催方法の開催決定イベントの内、ステータスがイベント中止（不成立イベント）であることを通知する表示画面例を示す図である。
【発明を実施するための形態】
【００１８】
以下、本発明の例示的な実施形態について添付の図面を参照して詳細に説明する。
【００１９】
（実施形態の構成）
図１は、本発明の一実施形態によるスポーツイベント開催方法の全体構成を説明するブロック図である。図１に示された本発明の一実施形態に係るネットワークシステムは、サーバ１００と、会員１０と、ネットワーク管理者２０と、イベント開催運営者３０と、サーバ１００内のプログラムを実行するプログラム４０から構成されている。
【００２０】
サーバ１００、会員１０、及びネットワーク管理者２０は、それぞれインターネット等の通信回線によって接続され双方向の通信が可能となっている。本発明の理解を容易にするために、図１では、本発明に係るスポーツイベント開催方法の順序にしたがって説明するが、サーバ１００内のハードウェアは、プログラム及びデータを格納した記憶装置、会員１０、ネットワーク管理者２０のインターフェースを構成する入出力装置、及びプログラム４０にしたがって、本発明に係るスポーツイベント開催方法を実行するコントローラを含んでいる。
【００２１】
図１を参照すると、会員１０は、本発明のスポーツイベントを企画する企画者及びイベントに参加をする利用者及び／又は参加者によって構成されている。利用者及び参加者は、異なっても同一であっても良い。企画者は、企画者端末１１を用いてサーバ１００にインターネット等の通信回線によってアクセスをし、企画者はサーバ１００を利用してスポーツイベントを企画する。
【００２２】
参加者、利用者は、参加者(利用者)端末１２を用いて企画者が企画して、サーバ１００に公開されたスポーツイベントリスト１３０を閲覧して、気に入った公開スポーツイベントリスト１３０の中から投票１４１を行ったり、開催決定スポーツイベントリスト１５１の中からお気に入りの開催決定スポーツイベントを選んで参加申込みを行い、支払申込んだりすることができる。開催決定スポーツイベントの中で募集した人員を集めて成立したイベントに対して、支払が確定され、チケットを発券して、参加者はスポーツイベントに参加する。
【００２３】
なお、投票１４１及び参加申込１６０は、当のスポーツイベント企画者も参加者として参加することができる。
【００２４】
図１に示されたサーバ１００は、大きく分けて４つ段階を含む動作を行う。具体的に言えば、サーバ１００は、スポーツに関連する企画立案１２１された新規イベントを、スポーツイベントとしてネットワークに公開する第１段階１２０と、スポーツイベントをネットワーク上に公開して投票１４１を求める第２段階１４０と、投票１４１の結果に基づいて開催するスポーツイベントを決定し、開催決定されたスポーツイベントに対してネットワーク上で参加者を募る第３段階１５０と、開催決定されたスポーツイベントの中から募集人員に達して成立したイベントに対して、参加費の支払いや参加チケット発券１７６、イベント開催の通知を行う第４段階１７０を含む動作を行う。これによって、サーバ１００は本発明の一実施形態に係るスポーツイベントの開催方法を実施する。
【００２５】
第１段階１２０では、企画者は、スポーツの新規イベント企画立案１２１する。
【００２６】
また、ネットワーク管理者２０は、スポーツの新規イベント企画立案１２１について、公開スポーツイベントリスト１３０に公開することができるスポーツイベントであるか否かを審査１２３する。換言すれば、公開スポーツイベントリスト１３０等はサーバ１００内の記憶装置に格納され、当該記憶装置に格納された公開スポーツイベントリスト１３０等は、サーバ１００内のコントローラの制御の下に、インターネット回線等を介して企画者端末１１、参加者(利用者)端末１２等の表示装置に表示される。以下の説明は、プログラムに従ってコントローラの制御の下に、サーバ１００内で行われる動作を第１〜第４段階１２０、１４０、１５０、及び１７０に分けて説明する。しかしながら、これら第１〜第４段階の動作は、同一のコントローラ及プログラムの制御の下に行われることは言うまでもない。
【００２７】
審査の結果、ネットワーク上に公開できるとネットワーク管理者が判断したスポーツイベントは、第２段階１４０で投票１４１が可能な公開スポーツイベントとして、サーバ１００から企画者端末１１及び／又は参加者（利用者）端末１２に表示される。なお、会員１０に表示できないと判断したスポーツの新規イベント企画立案は、新規イベント企画を立案した企画者に、却下された理由を含め通知することができる。企画者は、却下された新規イベント企画立案を修正して、再度、ネットワーク管理者２０へ審査１２３を依頼することができる。
【００２８】
また、第１段階１２０で、企画者は、企画したスポーツイベントをオープンなイベントとして公開スポーツイベントリスト１３０に公開するのか、一部の会員のみを参加対象としたクローズドイベントを公開スポーツイベントリスト１３０に公開するのかを設定することもできる。クローズドイベントを公開する場合には、専用のＩＤやパスワードがネットワーク上で生成できるようにしてもよい。
【００２９】
第２段階１４０では、会員１０は、第１段階で公開された投票１４１可能な公開スポーツイベントリスト１３０を閲覧して、お気に入りのスポーツイベント或いは実現したいと思うスポーツイベントに投票１４１することができる。参加者が投票１４１を行う場合は、参加者端末１２からサーバ１００内の第１段階１３０に公開された公開スポーツイベントリスト１３０から参加してみたいスポーツイベントに投票１４１をする。
【００３０】
さらに、公開スポーツイベントリスト１３０には、簡易的にスポーツイベントの内容をランキング順に公開して、当該スポーツイベントに詳細ページをリンクさせて、リンクされた詳細ページから投票１４１を行えるようにしても良い。
【００３１】
また、公開スポーツイベントは、投票１４１によって最も多くの票を獲得したスポーツイベントからランキング順に公開イベントリスト１３０に公開される。つまり、投票１４１結果が、常に反映されるように、投票１４１と公開スポーツイベントリスト１３０は相互にリンクしている。ネットワーク管理者２０は、投票結果を閲覧し、スポーツイベントの実現交渉の基準を満たしたスポーツイベントから（主に上位にランクインされている公開スポーツイベント）、スポーツイベント運営者３０と、スポーツイベント運営者３０との間で実現交渉２５を行う。また、企画者は、投票結果を閲覧して、スポーツイベントの実現交渉２５をネットワーク管理者２０に対して依頼することも可能である。
【００３２】
さらに、ネットワーク管理者２０とスポーツイベント運営者３０間におけるスポーツイベント実現交渉２５の結果、ネットワーク管理者２０は、当該スポーツイベントを企画した企画者との相談１２２を行うステップを含んでも良い。
【００３３】
なお、スポーツイベント実現交渉２５の結果、やむを得ず、スポーツイベント運営者３０側の都合などによりスポーツイベントの開催ができなくなった場合には、イベントを中止１８０することができる。
【００３４】
第３段階１５０では、第２段階１４０でネットワーク管理者とスポーツイベント運営者３０との交渉の末、開催が決定したスポーツイベントが、参加申込１６０ができる開催決定スポーツイベントリストとして、サーバ１００内の記憶装置に格納される。格納された開催決定スポーツイベントは企画者端末１１、参加者端末１２等にインターネット回線等を介して表示される。この結果、開催決定スポーツイベントに対する参加者を募集できる状態になる。尚、公開スポーツイベントリスト１３０及び開催決定スポーツイベントリスト１５１を格納する記憶装置はサーバ１００内の同一の記憶装置であっても良いし、別箇に設けられても良い。
【００３５】
開催決定スポーツイベントは、参加申込１６０によって最も多く獲得したスポーツイベントからランキング順に開催決定イベントリスト１５１に公開される。
【００３６】
第４段階１７０では、参加者は、開催決定したスポーツイベントリスト及び詳細ページ１５１の中から、参加したいスポーツイベントがあれば、支払申込１７１を行う。参加者がクレジット決済等により支払申込１７１を行っても、この段階では、支払は確定していない。
【００３７】
参加者の募集によって、参加者募集期間までに募集人員に達したイベントは、成立イベント１７２となる。成立イベント１７２となった段階で、支払申込１７１は支払確定１７４され、支払確定１７４後、チケットが発券１７６されることになる。これによって、参加者は成立イベント１７２であるスポーツイベントに参加することができる。
【００３８】
一方、参加者募集期間までに募集人員に満たなかった場合は、不成立イベント１７３となる。不成立イベント１７３に対する支払申込１７１は支払申込中止１７３となって、不成立イベント１７３に対する支払申込１７１はキャンセルされる。尚、支払申込１７１は、クレジットカード決済又は他の決済方法を指定して行うことができる。
【００３９】
このように、本発明の一実施形態では、成立したスポーツイベントのみに支払が発生するようになっている。つまり支払申込１７１時点では、支払は生じない。支払申込１７１では、支払の与信枠のみが確保され、支払確定１７４後、参加費がカードから引き落とされるようになっている。
【００４０】
（公開スポーツイベントリストの説明）
以下、添付の図面を参照しながら、公開スポーツイベントリスト１３０の表示画面の一例を詳細に説明する。
【００４１】
図２は、本実施形態によるスポーツイベント開催方法の公開イベントの表示画面例を示す図である。
【００４２】
図２に示された公開スポーツイベントリスト１３０には、上位にランクしたスポーツイベントが上位１位〜３位まで表示されている。他のランクのスポーツイベントを閲覧する場合には、「公開スポーツイベントリストをもっと見る」１３１を押すと画面が切り替わって４位以下のランクのスポーツイベントを見ることができる。図２に示された公開イベントリストはゴルフに関するスポーツイベントを選んで表示している。ゴルフに関するイベントは、図２に例示されたゴルフ試打会にとどまらず、ゴルフレッスン、プロとの交流会、ゴルフコンペ等、種々のカテゴリーに区分されている。
【００４３】
このため、ゴルフに関するイベントにおいても、イベントのカテゴリーを表示し、カテゴリーから利用者が選択できるような表示画面を構成しても良い。この場合、カテゴリーが選択されなければ、カテゴリーに関係なく、公開スポーツイベントがランク順に上位から表示されることになる。
【００４４】
図２のように、ランキング１位の公開スポーツイベント１３３は、ランキング２位以下の公開スポーツイベント１３４よりも表示画面を大きくしてもよい。
【００４５】
図３は、本実施形態のランキング１位の公開スポーツイベント１３３の表示画面を例示している。図示された表示画面は左右２つ分割されており、左側の表示画面上部には、公開スポーツイベントランキングバー１３３０が表示されており、投票者は、公開スポーツイベントランキングバー１３３０を見て公開されているスポーツイベントのランキング順位を把握することができる。公開スポーツイベントランキングバー１３３０の下には、公開スポーツイベントのカテゴリー１３３６(ここでは、ゴルフ試打会)と、当該スポーツイベントの企画者１３３８と、そのスポーツイベントの企画者の画像と、そのスポーツイベントのイメージ画像１３３９が表示されている。
【００４６】
図３の右側の表示画面には、公開スポーツイベントのステータス１３３１の通知と、公開スポーツイベントの表題１３３２と、公開スポーツイベントの詳細情報を表示する１３３３と、公開スポーツイベントの基本情報１３３４と１３３４内に加速実現ポイント１３３５が表示されている。公開スポーツイベントの詳細情報１３３３の「もっと見る」を押すと、選択した公開スポーツイベントの詳細ページ（図示省略）を開くことが可能である。また、投票ボタンは詳細ページに表示されても良いし、公開スポーツイベントリスト１５１画面に表示されても良い。
【００４７】
図３に示す公開スポーツイベントのステータス１３３１は、例えば、投票受付中、実現交渉中、イベント中止（実現交渉不成立）を含むステータスを表示できる。さらに、中止されたイベントは、そのステータスを継続的に表示しても良く、公開イベントリストから削除されても良い。ステータス１３３１内の表示は、ネットワーク管理者２０またはプログラム４０によって 投票状況に応じて切り替えることができる。図５に投票１４１から第３段階に移行するステップを交えてステータス１３３１の機能について詳細に説明をする。
【００４８】
公開スポーツイベントの基本情報１３３４(図３)は、例えば、スポーツイベントの実施予定価格、募集人数、投票人数、開催日、開催場所、投票期間、加速実現ポイント等の情報を含んでも良く、これらの情報は一元的に表示することができる。
【００４９】
加速実現ポイント１３３５は、投票１４１によって獲得したポイントと連動しながら左端から右端へ獲得ポイントが増えているように表示する獲得ポイントバーを有することができる。
【００５０】
なお、スポーツイベントを実現させたいと考えている熱意のある参加者の為に、繰り返しの投票を許容し、繰り返しの投票を行うことで、スポーツイベントの実現が加速されることから、加速実現ポイントと名付けられている。繰り返しの投票は、１日当たりの投票回数を設定してもよく、毎日投票１４１する参加者の意志をくみ取りながら、ポイントが加算できるような機能を備えても良い。また、加速実現ポイントの上限値を適宜な値を設定してもよく、本実施例では、上限を１０００００ポイントに設定し、１投票に付き１００ポイント加速実現ポイントが獲得できるように設定している。
【００５１】
図４は、本実施形態の公開スポーツイベントの基本情報１３３４の別のレイアウト１３３４０を例示している。この例は、実施予定価格、募集人数、開催日、開催場所と加速実現ポイント、投票人数、投票期間と二つに分けて一元的に見ることができる。
【００５２】
図５は、本発明の一実施形態によるスポーツイベント開催方法の公開イベントのステータス１３３１を通知する方法を投票１４１から第３段階に移行するまでを説明するフローチャートである。第２段階で参加者は、公開スポーツイベントリスト１３０の内、ステータス１３３１に「投票受付中」と表示されている公開スポーツイベントに投票１４１を行うことができる。図６に「投票受付中」の公開スポーツイベントがゴルフレッスンである場合の例が示されている。さらに、上述した通り、スポーツイベントを企画した企画者は、公開スポーツイベントの投票１４１結果を見て、例えば十分な参加者が得られることを見込んで、ネットワーク管理者２０にスポーツイベント実現交渉を要求する(図５のステップ１)。尚、企画者は企画段階で直接イベント実現交渉を要求しても良い。この場合、表示画面上に、イベント実現交渉用のボタンを用意しておけば良い。
【００５３】
また、図５及び図６に示すように、例えば、ステップ２で加速実現ポイント１３３５が上限値の１０００００ポイントに到達すると、募集人数に対する投票人数が未達でも、公開スポーツイベントを次のステップのスポーツイベント実現交渉２５に入ることができる。実現交渉２５に入った公開スポーツイベントは、当該公開スポーツイベントの画面上のステータス１３３１は、「実現交渉中」に切り替わる。図７は、加速実現ポイントが、上限値に到達したイメージを例示している。
【００５４】
また、ステップ３は、ステップ２で１０００００ポイントに達しない場合であっても、投票人数が、募集人数に到達した場合も、次のステップの実現交渉２５に入ることができる。図８は、投票人数が、募集人数に到達している表示画面を例示している。
【００５５】
なお、ステップ４は、投票受付期間中にステップ２やステップ３を得ることができなかった公開スポーツイベント或いは、ネットワーク管理者２０とスポーツイベント運営者３０とのスポーツイベント実現交渉が不成立となった場合は、図９に示すように、当該公開スポーツイベントの画面上のステータス１３３１は、例えば、「イベント中止」に切り替えることができる。または、中止になったイベントを公開リストから削除するステップを含んでも良い。なお、イベント中止になった公開スポーツイベントは、そのままイベントを中止するか、或いは、第１段階に戻って再度スポーツイベントを利用者によって再企画することができる。
【００５６】
（開催決定スポーツイベントリストの説明）
以下、添付の図面を参照しながら、開催決定スポーツイベントリスト１５１の表示画面の一例を用いて、第３段階（参加申込）と第４段階（チケット発券）について詳細に説明する。
【００５７】
図１０は、本実施形態によるスポーツイベント開催方法の開催決定スポーツイベントの表示画面例を示す図である。
【００５８】
図１０の開催決定イベントリスト１５１は、上位にランクしたスポーツイベントが上位１位〜３位まで一つの画面上に表示されている。他のランクのスポーツイベントを閲覧する場合には、「開催決定スポーツイベントリストをもっと見る」を押すと画面が切り替わって４位以下のランクのスポーツイベントを見ることができる。図１０のようにゴルフに関するイベントを選んで開催決定イベントリスト１５１を表示できる。ここでは、開催決定イベントリストはゴルフイベントに関するカテゴリーを選択できる。当然ながらカテゴリーを選択しなければ、カテゴリーに関係なく、開催決定スポーツイベントをランク順に上位から公開することも可能である。カテゴリーとしては、ゴルフに関する各種のイベントをカテゴリーに分類する場合について説明したが、互いに異なる複数のスポーツを分類しておき、カテゴリーを選択することによって、ゴルフ以外のスポーツイベントに参加できるように構成して良い。
【００５９】
図１０のように、ランキング１位の開催決定スポーツイベント１５３は、ランキング２位以下の公開スポーツイベント１５４より表示画面を大きくしてもよい。
【００６０】
図１１は、本実施形態のランキング１位の開催決定スポーツイベント１５３の表示画面を例示している。表示画面上部には、開催決定イベントランキングバー１５３０を有しており、参加者は、開催決定イベントランキングバー１５３０を見て開催決定されているスポーツイベントのランキング順位を把握することができる。開催決定イベントランキングバー１５３０の下には、開催決定スポーツイベントのカテゴリー１５３５と、そのスポーツイベントのイメージ画像１５３６が表示することができる。
【００６１】
図１１の右側には、開催決定スポーツイベントのステータスを通知する１５３１と、開催決定スポーツイベントの表題１５３２と、開催決定スポーツイベントの詳細情報を表示する１５３３と、開催決定スポーツイベントの基本情報１５３４を有している。開催決定スポーツイベントの詳細情報１５３３の「もっと見る」のボタンを選択すると、選択した開催決定スポーツイベントの詳細ページ（図示省略）を開くことも可能である。また、詳細ページに気に入ったスポーツイベントのチケットを購入するための支払申込１７１ボタンを含むこともことが可能であり、支払申込１７１ボタンを開催決定スポーツイベントリストの画面に含ませても良い。
【００６２】
開催決定スポーツイベントのステータス１５３１は、例えば、販売受付中、完売（成立イベント）、イベント中止（不成立イベント）の３つを表示することができる。ネットワーク管理者２０は、またはプログラム４０によって、参加申込１６０状況に基づいて開催決定スポーツイベントのステータス１５３１を切り替えることができる。また、「完売」したスポーツイベントや中止になったスポーツイベントは、開催決定スポーツイベントリスト１５１から削除することもできる。
【００６３】
開催決定スポーツイベントの基本情報１５３４は、例えば、スポーツイベントの実施価格、募集人数、開催日、開催場所、販売終了までの残り時間、参加チケットの残数に関する情報を含み、これらの情報を一元的に見ることができる。
【００６４】
次に、図１２は、開催決定スポーツイベントのステータス１５３１を通知する方法をフローチャートである。
【００６５】
本発明の第３段階で参加者の参加申込１６０は、開催決定スポーツイベントリスト１５１の内、ステータス１５３１に「販売受付中」と表示されている開催決定スポーツイベントを見て、販売を受け付けているスポーツイベントの中にステップ６の参加したいイベントが有れば、参加者は支払申込１７２をする。図１３に「販売受付中」が表示されている開催決定スポーツイベントを例示している。
【００６６】
ステップ７で販売人数は募集人数に到達すると、開催決定スポーツイベントは、成立イベント１７１に成る。成立された開催決定スポーツイベントは、当該開催決定スポーツイベントの画面上のステータス１５３１は、「完売」に切り替わる。図１４は、完売した開催決定スポーツイベントのイメージを例示している。
【００６７】
なお、図１２のステップ７において販売受付期間中に募集人数に達しなかった場合、ステップ７(Ｎ)は、ステップ８に移行する。この場合の開催決定スポーツイベントの画面上のステータス１５３１(図１１)は、「イベント中止」に切り替わる。イベント中止になった開催決定スポーツイベントは、そのままイベントを中止するか、或いは、第１段階に戻って再度スポーツイベントを利用者によって再企画することができる。
【００６８】
なお、本実施形態に例示した公開スポーツイベントリスト１３０表示画面並びに開催決定スポーツイベントリスト１５１表示画面は、本発明に逸脱しない範囲内でレイアウトを変えることは可能である。
【産業上の利用可能性】
【００６９】
本発明は、ネットワーク上にスポーツイベントを公開して参加者を募り、スポーツイベントを開催する方法などに適用できる。
【符号の説明】
【００７０】
１０    会員
１１    企画者端末
１２    参加者（利用者）端末
２０    ネットワーク管理者
２５    スポーツイベント実現交渉
３０    スポーツイベント運営者
４０    プログラム
１００  サーバ
１２０  第１段階
１２１  新規イベント企画立案
１２２  相談
１２３  審査
１３０  公開スポーツイベントリスト及び詳細ページ
１３１  公開スポーツイベントリストをもっと見る
１３３  ランキング１位の公開スポーツイベント表示画面
１３４  ランキング２位以下の公開スポーツイベント表示画面
１４０  第２段階
１４１  投票
１５０  第３段階
１５１  開催決定スポーツイベントリスト及び詳細ページ
１５２  開催決定スポーツイベントリストをもっと見る
１５３  ランキング１位の開催決定スポーツイベント表示画面
１５４  ランキング２以下の開催決定スポーツイベント表示画面
１６０  参加申込
１７０  第４段階
１７１  支払申込
１７２  成立イベント
１７３  不成立イベント
１７４  支払確定
１７５  支払申込中止
１７６  チケット発券
１８０  イベント中止／再企画
１３３０  公開スポーツイベントランキングバー
１３３１  公開スポーツイベントのステータス
１３３２  公開スポーツイベントの表題
１３３３  公開スポーツイベントの詳細情報
１３３４  公開スポーツイベントの基本情報
１３３５  加速実現ポイント
１３３６  公開スポーツイベントのカテゴリー
１３３７  公開スポーツイベント企画者の画像
１３３８  公開スポーツイベント企画者の氏名
１３３９  公開スポーツイベントのイメージ画像
１５３０  開催決定スポーツイベントランキング
１５３１  開催決定スポーツイベントのステータス
１５３２  開催決定スポーツイベントの表題
１５３３  開催決定スポーツイベントの詳細情報
１５３４  開催決定スポーツイベントの基本情報
１５３５  開催決定スポーツイベントのカテゴリー
１５３６  開催決定スポーツイベントのイメージ画像
１３３４０  基本情報の別案
１３３４１  投票期間
【図１】
2015210560.tif 000003
【図５】
2015210560.tif 000004
【図１２】
2015210560.tif 000005
【図２】
2015210560.tif 000006
【図３】
2015210560.tif 000007
【図４】
2015210560.tif 000008
【図６】
2015210560.tif 000009
【図７】
2015210560.tif 000010
【図８】
2015210560.tif 000011
【図９】
2015210560.tif 000012
【図１０】
2015210560.tif 000013
【図１１】
2015210560.tif 000014
【図１３】
2015210560.tif 000015
【図１４】
2015210560.tif 000016
【図１５】
2015210560.tif 000017